(57)【要約】【課題】通常の外管に対して安定的に固定することができる管路内浄化装置を提供する。【解決手段】本発明の管路内浄化装置100は、管路910内に設置されるべきものである。管路内浄化装置100は、セパレータ200と、担体400と、ストッパ800とを含む。セパレータ200は、支持部と仕切部とを含む。支持部は、管路910の下部内壁面に沿う面を有する。仕切部は、管路の内部を仕切り且つ孔が穿設されている。微生物を担持させるための担体400は、セパレータの内部に固定される。ストッパ800は、セパレータ200の端部に配置される。ストッパ800は、セパレータ200の端面を衝止する。【選択図】図１
2016098606.tif 000002
【特許請求の範囲】
【請求項１】
管路内に設置される管路内浄化装置であって、
前記管路の下部内壁面に沿う面を有する支持部と、前記管路の内部を仕切り且つ孔が穿設された仕切部と、を含むセパレータと、
前記セパレータの内部に固定された、微生物を担持させるための担体と、
前記セパレータの端部に配置され、前記セパレータの端面を衝止するストッパと、を含む管路内浄化装置。
【請求項２】
前記ストッパが、前記セパレータの端部壁面に接地する接地面を有する、請求項１に記載の管路内浄化装置。
【請求項３】
前記ストッパが、前記仕切部の端面に当接する当接面を有する、請求項１または２に記載の管路内浄化装置。
【請求項４】
前記ストッパが、前記管路の上部内壁面に沿う内挿面を有する内挿部を含む、請求項１から３のいずれか１項に記載の管路内浄化装置。
【請求項５】
前記ストッパが、前記管路の上部外壁面に沿う外挿面を有する外挿部を含む、請求項１から４のいずれか１項に記載の管路内浄化装置。
【請求項６】
前記セパレータの端面が前記管路の端面より前記管路の内部側に位置し、
前記ストッパが、前記管路の内壁面に沿う内挿面と、前記支持部の端面に当接する当接面とを有する、請求項１に記載の管路内浄化装置。
【請求項７】
前記セパレータの両側部の一方を衝止可能な一方のセパレータ規制部と、前記両側部の他方を衝止可能な他方のセパレータ規制部と、前記一方のセパレータ規制部と前記他方のセパレータ規制部との間に設けられ、かつ前記管路の上部内壁面に固定可能な管路接触部とを含むセパレータ規制部材をさらに含む、請求項１から６のいずれか１項に記載の管路内浄化装置。
【請求項８】
管路と、
前記管路の軸心方向に延在するように前記管路に設置された、請求項１から７のいずれか１項に記載の管路内浄化装置と、
を含む、管路内浄化システム。
【発明の詳細な説明】
【技術分野】
【０００１】
本発明は、管路内浄化装置および管路内浄化システムに関する。より具体的には、本発明は、微生物を担持させる担体を良好に固定することができる管路内浄化装置およびそれを用いた管路内浄化システムに関する。
【背景技術】
【０００２】
従来、汚水は管路により下水処理施設まで移送され、汚水の浄化処理はすべて下水処理施設で行われていた。そのため、下水処理施設では、浄化用設備に伴う設備費用または設備スペースが必要であった。
【０００３】
そのため、下水処理施設の負担を軽減するために、微生物を用いて管路内で汚水を浄化する方法が提案されている。たとえば、国際公開第２０１３／１７２２８８号パンフレット（特許文献１）には、外管が、間仕切りによって上部区画と下部区画に分けられた構造を有する管路内浄化装置が記載されている。下部区画には微生物担体が充填されている。この管路内浄化装置は、開口部が設けられた間仕切部を有することにより、汚水中の固形物の多くを上部区画により移送し、固形物の含有割合の少ない汚水が下部区画に供給されるため、安定した汚水の浄化処理を行うことができる。さらに、管路内の水位に応じ、微生担体が汚水による浸漬と空気による曝露とを効率よく繰り返すことができる。
【先行技術文献】
【特許文献】
【０００４】
【特許文献１】国際公開第２０１３／１７２２８８号パンフレット
【発明の概要】
【発明が解決しようとする課題】
【０００５】
上記の管渠内浄化装置において、外管は、その内壁から突起が突設されるように成形されている。間仕切りは、幅方向の両側から外管内壁の曲面に沿って延設された湾曲部を有しており、湾曲部は、外管内壁の突起に嵌合する形状に形成されている。このような嵌合によって、間仕切りは外管に固定される。
【０００６】
このように上記の管渠内浄化装置では、外管自体に、間仕切りを固定するための突起が設けられなければならない。反対に、通常の外管、つまり内壁に凹部も凸部も有さない外管には安定して固定することはできない。外管の端部は人孔内へ連通しているため、特に長時間の使用によって生じうる軸方向の移動を抑制することができない。
【０００７】
そこで、本発明の目的は、通常の外管に対して安定的に固定することができる管路内浄化装置を提供することにある。
【課題を解決するための手段】
【０００８】
本発明者は、管路内浄化装置が設けられた管路と人孔との接続部分において専用の固定部材を用いることによって上記本発明の目的が達成されることを見出し、本発明を完成するに至った。
本発明は、以下の発明を含む。
【０００９】
（１）
本発明の管路内浄化装置は、管路内に設置されるべきものである。管路内浄化装置は、セパレータと、担体と、ストッパとを含む。
セパレータは、支持部と仕切部とを含む。支持部は、管路の下部内壁面に沿う面を有する。仕切部は、管路の内部を仕切り且つ孔が穿設されている。
微生物を担持させるための担体は、セパレータの内部に固定される。
ストッパは、セパレータの端部に配置される。ストッパは、セパレータの端面を衝止する。
【００１０】
この構成により、管路内浄化装置を、通常の外管（管路）に対して安定的に固定することができる。具体的には、ストッパがセパレータを衝止するため、管路内浄化装置が設けられた管路と人孔との接続部分においてセパレータが人孔内へずれ出ることを防止することができる。
【００１１】
さらに、ストッパは、管路の端部壁面にも接地させることでより安定的にセパレータのずれを防止することができる。
【００１２】
（２）
ストッパは、セパレータの端部壁面に接地する接地面を有するものであってよい。
【００１３】
この構成により、ストッパのセパレータに対する接地面積がより大きく確保されるため、ストッパをより安定的に配置させることができる。
なお、セパレータの端部壁面とは、セパレータの端部における表面のうち、端面を除く面をいう。
【００１４】
さらに、ストッパは、管路の端面に当接する当接面を有するものであってよい。
この構成により、ストッパはセパレータの端面とともに管路の端面も衝止するため、管路の軸方向におけるセパレータの端面の位置が管路の端面の位置と略同じであっても、セパレータが人孔内へずれ出ることを防止することができる。
【００１５】
（３）
ストッパは、仕切部の端面に当接する当接面を有してよい。
この場合、ストッパを、管路内の空間を仕切る仕切部で衝止することができる。
【００１６】
この場合において、ストッパがさらに管路の端面に当接する当接面も有していれば、セパレータの仕切部を管路の端面とともに衝止するため、ストッパを構造上簡潔にかつ高い強度で構成することができる。
【００１７】
（４）
ストッパは、内挿部を有してよい。内挿部は、管路の上部内壁面に沿う内挿面を有する。
内挿部が管路の上部内壁面に接地する内挿面を有することにより、管路内浄化装置を設置すべき管路の端部が人孔内に突出していない場合であっても、管路内浄化装置を管路に対して安定的に固定することができる。
【００１８】
この場合において、内挿部が仕切部の端部壁面のうち上面に接地する内挿面も有していれば、管路内浄化装置を管路に対して安定的に固定するとともに、セパレータを管路下部に安定的に固定することができる。
【００１９】
（５）
ストッパは、管路の上部外壁面に沿う外挿面を有する外挿部をさらに含んでよい。
この構成によって、管路内浄化装置を設置すべき管路の端部が人孔内に突出している場合に、管路内浄化装置を管路に対して安定的に固定することができる。
【００２０】
（６）
セパレータの端面が管路の端面より管路の内部側に位置する場合に、ストッパは、管路の内壁面に沿う内挿面と、支持部の端面に当接する当接面とを有してよい。
【００２１】
この構成により、管路の軸方向におけるセパレータの端面の位置が管路の端面の位置まで足りない場合であっても、セパレータを継ぎ足すことなく、セパレータが人孔内へずれ出ることを防止することができる。さらに、管路内浄化装置を設置すべき管路の端部が人孔内に突出していない場合であっても、管路内浄化装置を管路に対して安定的に固定することができる。
【００２２】
（７）
管路内浄化装置は、セパレータ規制部材をさらに含んでよい。セパレータ規制部材は、一方のセパレータ規制部と、他方のセパレータ規制部と、管路接触部とを含む。一方のセパレータ規制部は、セパレータの両側部の一方を衝止可能であり、他方セパレータ規制部は、当該両側部の他方を衝止可能である。管路接触部は、一方のセパレータ可触部と他方のセパレータ可触部との間に設けられ、かつ管路の上部内壁面に固定可能である。
【００２３】
この場合、セパレータ規制部材はセパレータ自体に接着および結合しておらず、管路の上部内壁面に接着または結合しているため、管路内浄化装置の使用後などに、ストッパを取り外し、セパレータ規制部材を管路内に留め置いたままセパレータを取り出すことができる。
【００２４】
（８）
本発明の管路内浄化システムは、管路と、管路の軸心方向に延在するように管路に設置された（１）から（７）のいずれかに記載の管路内浄化装置とを含む。
【００２５】
この構成によって、管路内浄化装置が、通常の管路に対して安定的に固定された管路内浄化システムとなる。具体的には、ストッパが管路の端部でセパレータを衝止するため、管路内浄化装置が設けられた管路と人孔との接続部分においてセパレータが人孔内へずれ出ることを防止することができる。
【図面の簡単な説明】
【００２６】
【図１】第１実施形態の管路内浄化装置を用いた管路内浄化システムの模式的分解図である。
【図２】図１の管路内浄化装置におけるセパレータの模式的外観斜視図である。
【図３】図２のIII−III線を含む面で切断した場合の模式的断面図である。
【図４】図１における管路内浄化装置を用いた管路内浄化システムの一部切り欠き斜視図である。
【図５】図１の管路内浄化システムの人孔への接続構造を示す模式的断面図である。
【図６】第２実施形態の管路内浄化装置を用いた管路内浄化システムの一部切り欠き斜視図である。
【図７】図６の管路内浄化システムの人孔への接続構造を示す模式的断面図である。
【図８】第３実施形態の管路内浄化装置を用いた管路内浄化システムの模式的断面図である。
【図９】第４実施形態の管路内浄化装置を用いた管路内浄化システムの模式的断面図である。
【図１０】第５実施形態の管路内浄化装置を用いた管路内浄化システムの模式的断面図である。
【図１１】第６実施形態の管路内浄化装置を用いた管路内浄化システムの模式的外観斜視図である。
【図１２】図１１のXII−XII線を含む面で切断した場合の模式的断面図である。
【図１３】第７実施形態の管路内浄化装置を用いた管路内浄化システムの模式的外観斜視図である。
【図１４】管路内浄化装置の変形例（一部）の模式的外観斜視図である。
【図１５】図１４のXV−XV線を含む面で切断した場合の模式的断面図である。
【図１６】図１５の一部拡大図である。
【図１７】管路内浄化装置の変形例を用いた管路内浄化システムの模式的分解図である。
【発明を実施するための形態】
【００２７】
以下、図面を参照しつつ、本発明の実施の形態について説明する。以下の説明では、同一の要素には同一の符号を付しており、それらの名称および機能も同じである。したがって、それらについての詳細な説明は繰り返さない。
【００２８】
［第１実施形態］
図１は、第１実施形態の管路内浄化装置を用いた管路内浄化システムの模式的分解図である。図２は、図１の管路内浄化装置におけるセパレータの模式的外観斜視図である。図３は、図２のIII−III線を含む面で切断した場合の模式的断面図である。図４は、図１の管路内浄化装置の一部切り欠き斜視図である。図５は、図１の管路内浄化システムの人孔への接続構造を示す模式的断面図である。なお、以下においては、便宜上、図３の上側への方向を上、下側への方向を下として説明する。これらの方向（上下方向）は、管路内浄化装置の使用時における絶対的方向におおよそ一致するが、必ずしも管路内浄化装置の製造時における絶対的方向をいうものではない。また、図３の左右端部に相当する部分を、両側部と記載することがある。
【００２９】
［基本構成］
図１に示す管路内浄化システム９００は、管路９１０と、管路９１０内に設けられた管路内浄化装置１００とを含む。管路内浄化装置１００は、セパレータ２００と、微生物を担持すべき担体４００と、ストッパ８００とを含む。
【００３０】
［セパレータ］
図１に示すように、セパレータ２００は、管路９１０の軸心方向に延在する、一定の断面形状を有する長尺体である。セパレータ２００の当該軸心方向の長さは、管路９１０の長さに対応する。（図２においては、便宜上、この長尺体の一部を表示している。）図２および図３に示すように、セパレータ２００は、支持部２１０と仕切部２５０とから構成される。支持部２１０と仕切部２５０とは、一体形成されている。図３に示すように、セパレータ２００の断面形状は、管路９１０の軸心Ｏと管路９１０の最下点を通る直線を軸として線対称である。
【００３１】
支持部２１０は、図３に示すように、セパレータ２００の内側の凹曲面２１１と、セパレータ２００の外側の凸曲面２１２とを有する。凹曲面２１１および凸曲面２１２はいずれも断面円弧状であり、湾曲板形状を構成する。凹曲面２１１には、担体４００が固定されている。凸曲面２１２は、管路９１０の内壁面の一部に沿う。これによって、セパレータ２００を管路９１０の下部内壁面に沿って設置することができる。さらに、支持部２１０は、管路９１０の最下点付近で欠失部２１５を有する。欠失部２１５は、セパレータ２００の延在方向全体にわたって形成されている。これによって、欠失部２１５からセパレータ２００内部へ担体４００を配設可能であるため、担体４００の配設作業が容易になる。
【００３２】
仕切部２５０は、透水孔２５４（後述）が形成された変形板状の有孔部材である。仕切部２５０は、支持部２１０の両側縁部の間に架け渡されることにより、図３および図５に示すように、管路内浄化装置１００が管路９１０内に設けられた場合に、管路９１０内の空間を、下部の浄化部９１１と上部の流量確保部９１５とに分ける。仕切部２５０は、左右両側部より中央部（つまり対象軸上の部分）が下位となる形状で構成される。本実施形態においては、仕切部２５０は、対称軸上に流速確保部２５１を有し、対称軸に近い方から遠い方に向かって、一対の平面部２５３、および一対の傾斜部２５５がこの順で形成される。一対の平面部２５３、および一対の傾斜部２５５は、それぞれ、セパレータ２００の延在方向に並行して列設される。
【００３３】
仕切部２５０の中央部の最も低い部分を構成する流速確保部２５１は、図３に示すように、仕切部２５０の中央部の最も低い部分を構成し、その断面形状は下に凸となるように湾曲している。このような湾曲形状により、管路内の少量排水時における流速を確保する。
【００３４】
平面部２５３には、図３に示すように、透水孔２５４が穿設されている。透水孔２５４は、流量確保部９１５内の排水が流速確保部２５１の容量を超えた場合に、浄化部９１１へ排水を排出する。透水孔２５４は、セパレータ２００の延在方向に沿って複数設けられている（図１参照）。これにより、セパレータ２００に透水性を付与する。また、平面部２５３は水平方向に平坦であるため、製造時において、透水孔２５４の穿設の作業性が良い。
【００３５】
傾斜部２５５は、図３に示すように、平面部２５３から管路９１０内壁に向かい、当該内壁面に漸次沿う形状で立ち上がるように形成される。これによって、流量確保部９１５内の排水を浄化部９１１へ導きやすいとともに、仕切部２５０と管路９１０内壁との間に詰まりが生じることも防止しやすい。なお、本実施形態では、傾斜部２５５の形状は平坦であるが、図３に示した傾斜部２５５の平坦面より下方向に凸となるように、平面部２５３から滑らかに連続する湾曲形状を有する湾曲傾斜であってもよい。
【００３６】
支持部２１０および仕切部２５０が上述のように構成されることにより、セパレータ２００は、図３に示すように、管路９１０内に設けられた場合に、管路９１０内部空間の中心よりも下側の一部を占めるように形成される。つまり、セパレータ２００の最上点が、管路９１０の軸心Ｏの水平位置から落差Ｅを隔てて下に位置するように形成される。落差Ｅを隔てることにより、管路９１０内への設置が容易となる。
【００３７】
セパレータ２００は、樹脂で構成されることができる。樹脂の例としては、塩化ビニル系樹脂、オレフィン系樹脂などの熱可塑性樹脂、および、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
セパレータ２００の製造には、樹脂の種類に応じた製造方法が選択される。たとえば、熱可塑性樹脂の場合は押出成形によって製造することができる。この場合、出口形状がセパレータ２００の断面形状と同一である金型を用いた押出成形により製造することができる。その他、たとえば、出口形状が、欠失部２１５が無い支持部２１０と仕切部２５０とから構成される閉断面である金型を用いて押出し、その後、欠失部２１５を切欠形成することによって製造してもよいし、出口形状が環状である金型を用いて押出し、その後、欠失部２１５が無い支持部２１０と仕切部２５０とから構成される閉断面形状にフォーミングし、欠失部２１５の切欠形成を行うことにより製造してもよい。またたとえば、熱硬化性樹脂およびＦＲＰの場合、ハンドレイアップ法、引き抜き成形法などによって製造することができる。
【００３８】
［担体］
担体４００は、管路９１０（図１参照）の軸心方向に延在する幅広の長尺体である。担体４００の当該軸心方向の長さは、管路９１０の長さに対応する。担体４００としては、比表面積が大きい構造体を特に限定されることなく用いられる。たとえば、多孔質材料（たとえば、無機質多孔体、無機質発泡体、樹脂発泡体など）、繊維質材料（たとえば、不織布、織布、単繊維体、網状体など）、層状材料（たとえば、シート積層体など）が挙げられる。多孔質材料の微細孔は連続孔であることが好ましい。本実施形態では、樹脂の発泡体が用いられる。樹脂としては、オレフィン系樹脂（特にポリエチレン）、ウレタン樹脂、塩化ビニル系樹脂、アクリル系樹脂などが挙げられる。
【００３９】
担体４００の形状は、特に限定されず、本実施形態においては断面長方形の長尺体である。なお、担体４００は、たとえば、接着剤、ビスおよび／または担体固定部材（後述第１変形例の図１４および図１５参照）でセパレータ２００に固定することによって、セパレータ２００内に収容することができる。
【００４０】
担体４００は、浄化部９１１空間内の最狭部の高さＮを確保できる位置で固定される。浄化部９１１空間内の最狭部が高さＮを確保することは、担体４００と仕切部２５０との間での詰まりを防止する観点で好ましい。
【００４１】
管路９１０内における担体４００の大きさ（図３中の幅ｗおよび高さｈ）は、浄化効率を考慮して適宜決定することができる。本実施形態では、幅ｗは、管路９１０の内周長の１０％であり、高さｈは、管路９１０の内周長の２％である。
【００４２】
管路９１０内において、担体４００は、軸心Ｏと管路９１０の最下位置とを結ぶ面に関して対向して配設される。管路９１０内における担体４００の配設位置は、浄化効率などを考慮して決定することができる。たとえば、担体４００の離間距離ｉが、管路９１０の内周の１０％以上４０％以下となるように配設されてよい。離間距離ｉが当該下限値以上であることは、浄化部９１１の水位が低い場合であっても浄化部９１１内の流速を確保する点、担体４００を空気に接触させる点、および詰まり防止の点などから好ましく、当該上限値以下であることは、水位が上がった場合に担体４００を排水に有効に接触させ、良好な浄化効率を得る観点で好ましい。
【００４３】
［ストッパ］
ストッパ８００は、図４および図５に示すように、管路９１０の端部に取り付けられる部材であり、図４に示すように、内挿部８１０と衝止部８２０とを含む。ストッパ８００は、管路９１０の軸心に対して垂直な面で切断した場合の断面が閉断面構造を有するように構成されているため、強度の面で優れる。
【００４４】
内挿部８１０は、管路９１０の軸方向に沿って管路９１０の内部に挿入され、管路９１０の上部内壁面に沿う第１内挿面８１１と、セパレータ２００の仕切部２５０の端部壁面のうち上面に沿う第２内挿面８１５とを有する。内挿部８１０は、流量確保部９１５の周囲を取り囲む閉断面形状に構成されており、第１内挿面８１１および第２内挿面８１５がそれぞれ管路９１０の上部内壁面および仕切部２５０の上面に接地することで、セパレータ２００を管路９１０の下部内壁面に安定的に固定するとともに、ストッパ８００自体を安定的に固定する。さらに、第２内挿面８１５を有する部分が仕切部２５０の上面に沿った変形板状に形成されているため、排水を妨げない。安定的な固定のために、内挿部８１０と管路９１０の表面および仕切部２５０の上面との間には、接着剤が介在していることが好ましい。
【００４５】
衝止部８２０は、内挿部８１０に連設され、管路９１０の端面に当接する第１衝止面８２１および仕切部２５０の端面に当接する第２衝止面８２５を有する。管路９１０の端面と仕切部２５０の端面とを一度に衝止するため、管路９１０からセパレータ２００が軸方向にずれることを防止する。衝止部８２０と仕切部２５０の端面との間にも、接着剤が介在していることが好ましい。
【００４６】
ストッパ８００は、樹脂で構成されることができる。樹脂の例としては、塩化ビニル系樹脂およびオレフィン系樹脂などの熱可塑性樹脂、および、エポキシ系樹脂および不飽和ポリエステル系樹脂などの熱硬化性樹脂などが挙げられる。樹脂は、ガラス繊維、カーボン繊維などの繊維材料で強化された、複合材つまりＦＲＰ（繊維強化プラスチック）の態様であってもよい。また、ストッパ８００は、セパレータ２００と同じ材料で構成されてもよいし、異なっていてもよい。
【００４７】
ストッパ８００の製造には、樹脂の種類に応じた製造方法が選択される。たとえば、熱可塑性樹脂の場合は射出成形によって製造することができる。熱硬化性樹脂およびＦＲＰの場合は、ハンドレイアップ法、ＲＴＭ成形法などによって製造することができる。
【００４８】
図５に示すように、管路内浄化装置１００が設置された管路は、水路９３１を有する人孔９３０内に連通するように接続される。仕切部２５０によって、排水中の固形物の多くを、流量確保部９１５により移送し、固形物の含有割合の少ない排水が浄化部９１１に供給される。浄化部９１１に供給された排水は固形物の含有割合が少ないため、担体４００（図３参照）による安定的な浄化性能が得られる。
【００４９】
図５に示す接続構造では、上流側（図５右側）の管路内浄化装置１００の底部と、下流側（図５左側）の管路内浄化装置１００に設置されたセパレータ２００の仕切部２５０とが、人孔９３０の水路９３１で接続されている。このような構造を有することにより、上流側の管路内浄化装置１００の流量確保部９１５から浄化部９１１に供給された排水が、人孔９３０の水路９３１を通って下流側の管路内浄化装置１００の流量確保部９１５に供給されることとなり、流下性能を低下させずに優れた浄化性能を発揮することができる。
【００５０】
ストッパ８００は、図５に示す接続構造のように、管路９１０の端部が人孔９３０の内壁の中に埋め込まれている場合に好ましく用いられる。つまり、ストッパ８００は、内挿部８１０が管路９１０の内部で接地するため、安定的な取り付けが可能である。
【００５１】
［他の実施形態］
以下、ストッパの形状が異なる第２実施形態から第７実施形態について説明する。これらの実施形態においては、主に第１実施形態と異なる点について説明し、同じ点については基本的に説明を省略する。
【００５２】
［第２実施形態］
図６は、第２実施形態の管路内浄化装置を用いた管路内浄化システムの一部切り欠き斜視図であり、第１実施形態の図４に対応する。図７は、図６における管路内浄化システムの人孔への接続構造を示す模式的断面図であり、第１実施形態の図５に対応する。
【００５３】
図６および図７に示す管路内浄化システム９００ａは、管路９１０と、管路９１０内に設けられた管路内浄化装置１００ａとを含む。管路内浄化装置１００ａは、セパレータ２００と、微生物を担持すべき担体４００と、ストッパ８００ａとを含む。
【００５４】
ストッパ８００ａは、図６に示すように、第１実施形態と同様の内挿部８１０および衝止部８２０と、外挿部８３０とを含む。外挿部８３０は、管路９１０の上部外壁面に沿う第１外挿面８３１と、セパレータ２００の仕切部２５０の下面に沿う第２外挿面８３５とを有する。外挿部８３０は、内挿部８１０と断面相似形に形成され、衝止部８２０に連設されている。したがって、内挿部８１０と外挿部８３０とは、衝止部８２０を介して二重に流量確保部９１５の周囲を取り囲む。第１外挿面８３１および第２外挿面８３５がそれぞれ管路９１０の上部外壁面および仕切部２５０の下面に接地し、セパレータ２００を管路９１０の下部内壁面により安定的に固定するとともに、ストッパ８００ａ自体をより安定的に固定する。より安定的な固定のために、外挿部８３０と管路９１０の表面および仕切部２５０の下面との間には、接着剤が介在していることが好ましい。
【００５５】
ストッパ８００ａは、図７に示す接続構造のように、管路９１０の端部が人孔９３０の内壁から人孔９３０内部に突出した状態で埋め込まれている場合に好ましく用いられる。つまり、ストッパ８００ａは、内挿部８１０を管路９１０の内壁面に接地させるだけでなく、外挿部８３０を管路９１０の外壁面にも設置させることができるため、より安定的な取り付けが可能である。
【００５６】
［第３実施形態］
図８は、第３実施形態の管路内浄化装置を用いた管路内浄化システムの模式的断面図を示す。図８は、管路の軸心に平行な面で切断した場合の断面図を示す。
図８に示す管路内浄化システム９００ｂは、管路９１０と、管路９１０内に設けられた管路内浄化装置１００ｂとを含む。管路内浄化装置１００ｂは、第１実施形態と同様のセパレータ２００および微生物を担持すべき担体４００（それぞれ図４参照）と、ストッパ８００ｂとを含む。
【００５７】
ストッパ８００ｂは、図８に示すように、第１実施形態と同様の内挿部８１０および衝止部８２０と、外挿部８３０ｂとを含む。外挿部８３０ｂは、セパレータ２００の仕切部２５０の下面に沿う第２外挿面８３５を有するが、管路９１０の上部外壁面に沿う第１外挿面８３１（図６参照）は有しない。
【００５８】
ストッパ８００ｂは、第１実施形態の図５に示した接続構造のように、管路９１０の端部が人孔９３０の内壁の中に埋め込まれている場合であっても、内挿部８１０および外挿部８３０ｂがそれぞれ仕切部２５０の端部表面の上下両面に接地することで、より安定的な取り付けが可能である。
【００５９】
［第４実施形態］
図９は、第４実施形態の管路内浄化装置を用いた管路内浄化システムの模式的断面図を示し、図８に対応する。
図９に示す管路内浄化システム９００ｃは、管路９１０と、管路９１０内に設けられた管路内浄化装置１００ｃとを含む。管路内浄化装置１００ｃは、第１実施形態と同様のセパレータ２００および微生物を担持すべき担体４００（それぞれ図４参照）と、ストッパ８００ｃとを含む。
【００６０】
ストッパ８００ｃは、図９に示すように、内挿部８１０ｃと、衝止部８２０と、外挿部８３０とを含む。衝止部８２０は第１実施形態（図４参照）と同様であり、外挿部８３０は第２実施形態（図６参照）と同様である。
【００６１】
内挿部８１０ｃは、仕切部２５０の上面に沿う第２内挿面８１５を有するが、管路の上部内壁面に沿う第１内挿面８１１（図４参照）は有しない。
【００６２】
ストッパ８００ｃは、第２実施形態の図７に示す接続構造のように、管路９１０の端部が人孔９３０の内壁から人孔９３０内部に突出した状態で埋め込まれている場合に好ましく用いられる。この場合、ストッパ８００ｃは、内挿部８１０ｃを管路９１０の内壁面に接地させるだけでなく、外挿部８３０を管路９１０の外壁面にも接地させることによる安定的な取り付けを、より簡易な構造で実現することができる。
【００６３】
［第５実施形態］
図１０は、第５実施形態の管路内浄化装置を用いた管路内浄化システムの模式的断面図を示し、図８に対応する。
図１０に示す管路内浄化システム９００ｄは、管路９１０と、管路９１０内に設けられた管路内浄化装置１００ｄとを含む。管路内浄化装置１００ｄは、第１実施形態と同様のセパレータ２００および微生物を担持すべき担体４００（それぞれ図４参照）と、ストッパ８００ｄとを含む。
【００６４】
ストッパ８００ｄは、図１０に示すように、内挿部８１０ｃと、衝止部８２０と、外挿部８３０ｄとを含む。内挿部８１０ｃは第４実施形態（図９参照）と同様であり、衝止部８２０は第１実施形態（図４参照）と同様である。
外挿部８３０ｄは、管路の上部外壁面に沿う第１外挿面８３１を有するが、仕切部２５０の下面に沿う第２外挿面８３５（図６参照）を有しない。
【００６５】
ストッパ８００ｄは、第２実施形態の図７に示す接続構造のように、管路９１０の端部が人孔９３０の内壁から人孔９３０内部に突出した状態で埋め込まれている場合に好ましく用いられる。この場合、ストッパ８００ｄは、外挿部８３０ｄを管路９１０の外壁面に接地さることによる安定的な取り付けと、内挿部８１０ｃを仕切部２５０の上面に接地させることによるセパレータの安定的な固定とを、より簡易な構造で実現することができる。
【００６６】
［第６実施形態］
図１１は、第６実施形態の管路内浄化装置を用いた管路内浄化システムの模式的外観斜視図である。図１２は、図１１のXII−XII線を含む面で切断した場合の模式的断面図である。
【００６７】
図１１および図１２に示す管路内浄化システム９００ｅは、管路９１０と、管路９１０内に設けられた管路内浄化装置１００ｅとを含む。管路内浄化装置１００ｅは、セパレータ２００と、微生物を担持すべき担体４００と、ストッパ８００ｅとを含む。セパレータ２００の端面は、管路９１０の端面より内部に位置する。
【００６８】
ストッパ８００ｅは、図１１に示すように管路９１０の内壁の周方向全体に沿うリング形状であり、管路９１０の内部に完全に挿入されている。ストッパ８００ｅは、内挿面８１１ｅと衝止面８２２ｅとを含む。内挿面８１１ｅは管路９１０の内壁の周方向全体に沿う形状であり、当該内壁の周方向全体に亘って接地することでストッパ８００ｅが固定される。安定的な固定のために、内挿面８１１ｅと管路９１０の内壁との間には接着剤が介在していることが好ましい。衝止面８２２ｅは図１２に示すように（セパレータ２００の）支持部２１０の端面に当接することで、管路９１０からセパレータ２００が軸方向にずれることを防止する。衝止面８２２ｅと支持部２１０の端面との間にも、接着剤が介在していることが好ましい。
【００６９】
［第７実施形態］
図１３は、第７実施形態の管路内浄化装置を用いた管路内浄化システムの模式的外観斜視図であり、図１１に対応する。
【００７０】
図１３に示す管路内浄化システム９００ｆは、管路９１０と、管路９１０内に設けられた管路内浄化装置１００ｆとを含む。管路内浄化装置１００ｆは、セパレータ２００と、微生物を担持すべき担体４００と、ストッパ８００ｆとを含む。セパレータ２００の端面は、管路９１０の端面より内部に位置する。
【００７１】
ストッパ８００ｆは、図１３に示すように管路９１０の内壁の周方向の一部に沿う形状であり、具体的には、第６実施形態のストッパ８００ｅの一部が欠失した形状に相当する。ストッパ８００ｆは、管路９１０の内部に完全に挿入されており、内挿面８１１ｆと衝止面８２２ｆと、欠失部８０５ｆを含む。
【００７２】
内挿面８１１ｆは管路９１０の内壁の周方向の一部に沿う形状であり、当該内壁に接地することでストッパ８００ｆが固定される。安定的な固定のために、内挿面８１１ｆと管路９１０の内壁との間には接着剤が介在していることが好ましい。衝止面８２２ｆはセパレータ２００の支持部２１０の端面に当接することで、管路９１０からセパレータ２００が軸方向にずれることを防止する。衝止面８２２ｆと支持部２１０の端面との間にも、接着剤が介在していることが好ましい。欠失部８０５ｆは、管路９１０の軸方向に沿って、支持部２１０の欠失部２１５の幅に対応する幅で形成されることができる。これによって、浄化部９１１（図３参照）の排水の流れをより好ましく確保する。
【００７３】
［変形例］
以下、変形例について説明する。これら変形例においては、主に第１実施形態と異なる点について説明し、同じ点については説明を省略する。
【００７４】
［第１変形例］
図１４は、管路内浄化装置の第１変形例の模式的外観斜視図である。図１５は、図１４のXV−XV線を含む面で切断した場合の模式的断面図である。図１６は、図１５の一部拡大図である。
図１４に示す管路内浄化装置の一部は、第１実施形態と同様のセパレータ２００および担体４００に加え、担体固定部材３００、セパレータ規制部材５００、およびスペーサ６００を含む。これらの部材には、ストッパ８００，８００ａ，８００ｂ，８００ｃ，８００ｄ（図示省略）が組み合わせられる。なお、本変形例において、担体固定部材３００、セパレータ規制部材５００、およびスペーサ６００の少なくともいずれかは、適宜捨象されてもよい。また、本変形例は、第１実施形態から第７実施形態のいずれにも適用できる。
【００７５】
［担体固定部材］
本変形例では、担体４００は、図１４から図１６に示すように、担体固定部材３００を介してセパレータ２００の凹曲面２１１に固定される。担体固定部材３００は、図１６に示すように担体保持部３１０および固定部３２０とから構成され、変形矩形状の閉断面を構成するように形成されている。担体固定部材３００は、担体４００の外表面（本実施形では、担体保持部３１０により上表面と左右両側面、固定部３２０により下表面）を覆うように保持する。担体固定部材３００の奥行（セパレータ２００の延在方向の長さ）は、担体４００を良好に保持する観点、担体４００の表面の露出部分を確保する観点などから適宜設定される。本実施形態では、当該奥行きは、管路９１０の内周の直径の４％で構成される。なお、担体固定部材３００はその全体において、同一の奥行を有してよい。
【００７６】
担体固定部材３００の形状は、図１４から図１６に示されたものに限定されず、少なくともセパレータ２００の凹曲面２１１と担体４００との間に介在し、担体４００を保持する形状であればよい。担体固定部材３００の、凹曲面２１１と対向する固定曲面３２１は、凹曲面２１１に沿う曲面のみで構成されていてよい。また、担体固定部材３００と凹曲面２１１とには、双方が互いに係止して固定される係止部が形成されていてもよい。
【００７７】
管路９１０の軸心方向において、担体固定部材３００が設けられる箇所および間隔は特に限定されない。たとえば、１本の管路９１０に対し、軸心方向両端部の２箇所、当該両端部と中央部との３箇所、またはそれ以上の箇所で設けられてよい。
【００７８】
担体固定部材３００は、樹脂で構成されることができる。樹脂の例としては、塩化ビニル系樹脂およびオレフィン系樹脂などの熱可塑性樹脂、および、エポキシ系樹脂および不飽和ポリエステル系樹脂などの熱硬化性樹脂などが挙げられる。樹脂は、ガラス繊維、カーボン繊維などの繊維材料で強化された、複合材つまりＦＲＰ（繊維強化プラスチック）の態様であってもよい。また、担体固定部材３００は、セパレータ２００と同じ材料で構成されてもよいし、異なっていてもよい。担体固定部材３００は、射出成形によって製造することができる。また、ＦＲＰの場合、ハンドレイアップ法、レジントランスファー成形法（RTM）法などによって製造することができる。
【００７９】
担体固定部材３００は、セパレータ２００の凹曲面２１１との間に接着剤を介していてよい。接着剤は、支持部２１０の材質と担体固定部材３００の材質とを考慮し、当業者が適宜決定することができる。たとえば、スチレン−ブタジエンを主成分とするゴム質接着剤、溶剤系接着剤などが挙げられる。
【００８０】
［セパレータ規制部材］
図１４および図１５に示すように、セパレータ規制部材５００は、セパレータ２００と管路９１０の上部内壁面との間に介在し、管路９１０の下部内壁面に設置されたセパレータ２００の周方向および／または上方向の動きを規制する形状で構成される。
図１５に示すように、セパレータ規制部材５００は、管路９１０の上部内壁面におおよそ沿う形状を有し、その断面形状は、セパレータ２００と同じ対称軸に対して略線対称である。セパレータ規制部材５００は、その両端部に配置されたセパレータ規制部５１０Ｌ，５１０Ｒと、セパレータ規制部５１０Ｌ，５１０Ｒ間に配置された管路接触部５２０Ｌ，５２０Ｒとを含む。
【００８１】
セパレータ規制部５１０Ｌ，５１０Ｒは、セパレータ２００の両側部の表面に沿う形状に形成され、当該両側部の表面との間にクリアランスを生じている。セパレータ２００が周方向および／または上方向にずれた場合に当該両側部の表面に接触することで、当該両側部を規制することができる。管路接触部５２０Ｌ，５２０Ｒは、それぞれ、セパレータ規制部５１０Ｌ，５１０Ｒに連設されており、管路９１０の上部内壁面に沿う曲面を有する湾曲板状に形成され、当該上部内壁面に接触し、かつ、接着剤などにより固定されている。
【００８２】
このように、セパレータ規制部材５００は、セパレータ２００と管路９１０の上部内壁面との間に介在し、管路接触部５２０Ｌ，５２０Ｒにおいて管路９１０の上部内壁面に固定されている一方、セパレータ規制部５１０Ｌ，５１０Ｒはセパレータ２００の両側部に固定されていないため、管路内浄化装置の使用後に、管路内浄化装置のストッパ８００，８００ａ，８００ｂ，８００ｃ，８００ｄ（図示省略）を取り外して、セパレータ規制部材５００を管路９１０内に留め置いたままセパレータ２００を取り出すことができる。
【００８３】
本変形例では、上述のとおり、セパレータ２００が管路９１０内において、セパレータ２００が施工されるべき図１５における位置からの周方向への移動および／または上方向への移動を防止するため、管路内浄化装置の使用中における性能を安定的に確保することができる。
【００８４】
セパレータ規制部材５００は、管路９１０内に配設する前において、セパレータ規制部５１０Ｌ，５１０Ｒの少なくとも一部および管路接触部５２０Ｌ，５２０Ｒの少なくとも一部が管路９１０の内壁よりも外側にはみ出す形状で成形されていることが好ましい。たとえば、管路接触部５２０Ｌ，５２０Ｒは、管路９１０の上部内壁と同じまたはそれより大きい曲率半径を有する湾曲形状であり、セパレータ規制部５１０Ｌ，５１０Ｒが、それらが接触すべきセパレータ２００の両側部幅よりも離間するように成形されていてよい。
【００８５】
このように形成されたセパレータ規制部材５００が、管路９１０上部内壁面に固定される際、セパレータ規制部５１０Ｌ，５１０Ｒを、セパレータ２００の両側部幅よりもさらに近接するように可撓変形された後に、管路９１０内に進入させられる。この可撓変形の時、セパレータ規制部材５００の変形による上下方向の幅の増大が、セパレータ規制部材５００が固定されるべき上部内壁面への位置決めを妨害しないように、セパレータ規制部材５００の最上部（管路接触部５２０Ｌ，５２０Ｒの間）に、非接触部５３０が設けられることが好ましい。非接触部５３０は、管路９１０内において、管路９１０の上部内壁面に接触しない形状（本実施形態では平板形状）で構成されればよい。
【００８６】
上記のようにセパレータ規制部材５００が構成されることにより、管路９１０内に嵌装された場合に、管路接触部５２０Ｌ，５２０Ｒが、それぞれ、管路９１０の上部内壁面に対して突っ張る負荷がかかり、安定的に固定されることができる。
【００８７】
しかしながら、本発明は、管路９１０内に配設される前において、セパレータ規制部材５００が必ずしも上記のように管路９１０の内壁よりも外側にはみ出す形状で成形されていることを要さず、図１５に示された形状（管路９１０内に収まる形状）で成形されていても構わない。
【００８８】
セパレータ規制部材５００は、樹脂で構成されることができる。樹脂は、セパレータ２００を構成する樹脂と同じであってもよいし、異なっていてもよい。樹脂の例としては、塩化ビニル系樹脂、オレフィン系樹脂などの熱可塑性樹脂、および、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
セパレータ規制部材５００の製造には、樹脂の種類に応じた製造方法が選択される。たとえば、熱可塑性樹脂の場合は射出成形によって製造することができる。熱硬化性樹脂およびＦＲＰの場合は、ハンドレイアップ法、ＲＴＭ成形法などによって製造することができる。
【００８９】
なお、図１４に示したセパレータ規制部材５００の管路接触部５２０Ｌ，５２０Ｒは、その太さ（セパレータ２００の延在方向の幅）は一様に形成されているが、この態様に限定されない。管路接触部５２０Ｌ，５２０Ｒの太さは、たとえば、セパレータ規制部５１０Ｌ，５１０Ｒから上側へ近づくにつれ大きくなるように形成されてもよい。これによって、管路９１０の上部内壁面と管路接触部５２０Ｌ，５２０Ｒとの接地面積をより効率的に取ることができるため、より安定的な固定が可能である。
【００９０】
また、図１４に示したセパレータ規制部材５００は非接触部５３０を有しているが、この態様に限定されない。例えば、非接触部５３０が形成されずに、管路接触部５２０Ｌ，５２０Ｒが管路９１０の上部内壁面の周方向に沿って延長されて一体化された態様であってもよい。これによって、管路接触部が管路９１０の上部内壁面の周方向全体に接地するため、より安定的な固定が可能である。
【００９１】
［スペーサ］
スペーサ６００は、図１４から図１６に示すように、セパレータ２００の支持部２１０に形成された欠失部２１５に設けられている。スペーサ６００は、図１６に示すように、閉塞部６１０と固定部６２０とから構成される。閉塞部６１０は、管路９１０の内壁面に沿う湾曲板状であり、左右両側端に当接面６１５を有する。当接面６１５は、欠失部２１５の面に当接することによって欠失部２１５を閉塞する。これによって、鉛直下方向に負荷がかかっても欠失部２１５の幅が狭まることなく保たれる。なお、閉塞部６１０が欠失部２１５を閉塞する部分は、図１６に示すように、セパレータ２００の延在方向（管路９１０の軸方向）の一部である。このようなスペーサ６００が当該方向の複数箇所に設けられることにより、欠失部２１５の幅が安定的に保たれる。
【００９２】
固定部６２０は、図１６に示すように、閉塞部６１０の両側部に延出して設けられており、管路９１０の内壁面に沿う湾曲板状である。固定部６２０は、セパレータ２００の支持部２１０の凸曲面２１２に接する固定曲面６２２を有する。固定曲面６２２が凸曲面２１２に接地することにより、スペーサ６００がセパレータ２００に安定的に固定される。凸曲面２１２と固定曲面６２２との間には、接着剤が介在していてよい。
【００９３】
スペーサ６００は、樹脂で構成されることができる。樹脂の例としては、塩化ビニル系樹脂およびオレフィン系樹脂などの熱可塑性樹脂、および、エポキシ系樹脂および不飽和ポリエステル系樹脂などの熱硬化性樹脂などが挙げられる。樹脂は、ガラス繊維、カーボン繊維などの繊維材料で強化された、複合材つまりＦＲＰ（繊維強化プラスチック）の態様であってもよい。また、スペーサ６００は、セパレータ２００と同じ材料で構成されてもよいし、異なっていてもよい。スペーサ６００は、射出成形によって製造することができる。また、ＦＲＰの場合、ハンドレイアップ法、レジントランスファー成形法（RTM）法などによって製造することができる。
【００９４】
なお、スペーサ６００の形状は、図１４から図１６に示されたものに限定されない。たとえば、固定部６２０がセパレータ２００の外側に配設され凸曲面２１２へ接地する形状でなく、セパレータ２００の内側に配設され凹曲面２１１へ設置する形状であってもよい。具体的には、閉塞部６１０と担体固定部材３００の固定部３２０とが連設され一体化した形状であってもよい。この場合、スペーサに担体４００を固定する機能を持たせることができる。
【００９５】
また、セパレータ２００の支持部２１０の形状も、図１４から図１６に示されたものに限定されない。たとえば、欠失部２１５を有さず、支持部２１０が管路９１０の下部内壁の周方向全体にわたって沿う１枚の湾曲板状部材であってもよい。これにより、スペーサ６００は不要となる。この場合、支持部２１０仕切部２５０とが、互いに別個独立した部材であってもよい。
【００９６】
［第２変形例］
図１７は管路内浄化装置の変形例を用いた管路内浄化システムの模式的分解図であり、図１に対応する。図１７に示す管路内浄化システム９００ｇは、管路９１０と、管路９１０内に設けられた管路内浄化装置１００ｇとを含む。管路内浄化装置１００ｇは、セパレータ２００ｇと、微生物を担持すべき担体４００と、ストッパ８００ｇとを含む。
【００９７】
セパレータ２００ｇは、仕切部２５０ｇの形状が第１実施形態（図１参照）と異なることを除いて同様である。仕切部２５０ｇは、管路９１０の半径より大きい曲率半径を有する曲面を有する湾曲形状である。仕切部２５０ｇには、第１実施形態の仕切部２５０と同様に、透水孔が穿設されている。
【００９８】
ストッパ８００ｇは、内挿部８１０ｇと衝止部８２０ｇとを含む。いずれも、第２内挿面８１５ｇが仕切部２５０ｇの形状に沿って形成されていることに付随した形状に形成されている。このように、ストッパ８００の形状は、セパレータの仕切部の形状に応じて適宜変形される。
【００９９】
なお、ストッパ８００ｇの断面形状は、図１７に示したものに限定されず、第２実施形態から第５実施形態における断面形状が適用されてもよい。
【０１００】
［実施形態および変形例によって奏される効果］
管路内浄化装置１００，１００ａ，１００ｂ，１００ｃ，１００ｄ，１００ｅ，１００ｆ，１００ｇはストッパ８００，８００ａ，８００ｂ，８００ｃ，８００ｄ，８００ｅ，８００ｆ，８００ｇを含むため、通常の外管（管路９１０）に対して安定的に固定することができる。具体的には、ストッパ８００，８００ａ，８００ｂ，８００ｃ，８００ｄ，８００ｅ，８００ｆ，８００ｇがセパレータ２００，２００ｇを衝止するため、管路内浄化装置１００，１００ａ，１００ｂ，１００ｃ，１００ｄ，１００ｅ，１００ｆ，１００ｇが設けられた管路９１０と人孔９３０との接続部分においてセパレータ２００，２００ｇが人孔９３０内へずれ出ること防止することができる。
【０１０１】
管路内浄化システム９００，９００ａ，９００ｂ，９００ｃ，９００ｄ，９００ｇにおいて、管路９１０の軸方向におけるセパレータ２００，２００ｇの端面の位置は、管路９１０の端面の位置と略同じであるが、ストッパ８００，８００ａ，８００ｂ，８００ｃ，８００ｄ，８００ｇが管路９１０の末端に備え付けられることにより、セパレータ２００，２００ｇが人孔９３０内へずれ出ることを防止することができる。
【０１０２】
ストッパ８００，８００ａ，８００ｂ，８００ｃ，８００ｄ，８００ｇは、セパレータ２００，２００ｇの端部壁面に接地する接地面である第２内挿面８１５，８１５ｇおよび／または第２外挿面８３５を有するため、セパレータ２００，２００ｇに対する接地面積がより大きく確保されるため、より安定的に配置させられる。
【０１０３】
ストッパ８００，８００ａ，８００ｂ，８００ｃ，８００ｄ，８００ｇは、管路９１０の端面に当接する第１衝止面８２１および仕切部２５０の端面に当接する第２衝止面８２５を有しており、管路内の空間を仕切る仕切部２５０を管路９１０の端面とともに衝止するため、構造上簡潔にかつ高い強度で構成されることができる。
【０１０４】
ストッパ８００，８００ｂ，８００ｇは、管路の上部内壁面に接地する第１内挿面８１１を有するため、管路内浄化装置１００，１００ｂ，１００ｇを設置すべき管路９１０の端部が人孔９３０内に突出していない場合であっても、管路内浄化装置１００，１００ｂ，１００ｇを管路９１０に対して安定的に固定することができる。さらに、ストッパ８００，８００ａ，８００ｂ，８００ｃ，８００ｄ，８００ｇは、仕切部２５０の端部壁面のうちの上面に接地する第２内挿面８１５，８１５ｇを有するため、セパレータ２００，２００ｇを管路９１０下部に安定的に固定することができる。
【０１０５】
ストッパ８００ａ，８００ｃ，８００ｄは、管路９１０の上部外壁面に沿う第１外挿面８３１を有するため、管路内浄化装置１００ａ，１００ｃ，１００ｄを設置すべき管路９１０の端部が人孔９３０内に突出している場合に、管路内浄化装置１００ａ，１００ｃ，１００ｄを管路９１０に対して安定的に固定することができる。
【０１０６】
管路内浄化システム９００ｅ，９００ｆにおいて、管路９１０の軸方向におけるセパレータ２００の端面の位置が管路９１０の端面の位置まで足りないが、ストッパ８００ｅ，８００ｆが管路９１０の内部に取り付けられることにより、パレータ２００を継ぎ足すことなく、セパレータ２００が人孔９３０内へずれ出ることを防止することができる。さらに、管路９１０の端部が人孔９３０内に突出していない場合であっても、管路内浄化装置１００ｅ，１００ｆを管路９１０に対して安定的に固定することができる。
【０１０７】
管路内浄化装置１００，１００ａ，１００ｂ，１００ｃ，１００ｄ，１００ｅ，１００ｆ，１００ｇは、セパレータ規制部材５００をさらに含むことにより、管路内浄化装置１００，１００ａ，１００ｂ，１００ｃ，１００ｄ，１００ｅ，１００ｆ，１００ｇの使用後などに、ストッパ８００，８００ａ，８００ｂ，８００ｃ，８００ｄ，８００ｅ，８００ｆ，８００ｇを取り外し、セパレータ規制部材５００を管路９１０内に留め置いたままセパレータ２００，２００ｇを取り出すことができる。
【０１０８】
管路内浄化システム９００，９００ａ，９００ｂ，９００ｃ，９００ｄ，９００ｅ，９０ｆ，９００ｇは、管路９１０と管路内浄化装置１００，１００ａ，１００ｂ，１００ｃ，１００ｄ，１００ｅ，１００ｆ，１００ｇとを含むことにより、管路内浄化装置１００，１００ａ，１００ｂ，１００ｃ，１００ｄ，１００ｅ，１００ｆ，１００ｇが設けられた管路９１０と人孔９３０との接続部分においてセパレータ２００，２００ｇが人孔９３０内へずれ出ること防止することができる。
【０１０９】
［実施形態および変形例における各部と請求項の各構成要素との対応関係］
実施形態および変形例における管路内浄化装置１００，１００ａ，１００ｂ，１００ｃ，１００ｄ，１００ｅ，１００ｆ，１００ｇは、請求項における「管路内浄化装置」に相当し、セパレータ２００，２００ｇは「セパレータ」に相当し、支持部２１０は「支持部」に相当し、仕切部２５０，２５０ｇは「仕切部」に相当し、透水孔２５４は「孔」に相当し、担体４００は「担体」に相当し、セパレータ規制部材５００は「セパレータ規制部材」に相当し、セパレータ規制部５１０Ｌは「一方のセパレータ規制部」に相当し、セパレータ規制部５１０Ｒは「他方のセパレータ規制部」に相当し、管路接触部５２０Ｌ，５２０Ｒは「管路接触部」に相当し、ストッパ８００，８００ａ，８００ｂ，８００ｃ，８００ｄ，８００ｅ，８００ｆ，８００ｇは「ストッパ」に相当し、内挿部８１０，８１０ｃ，８１０ｇは「内挿部」に相当し、第１内挿面８１１は「管路の上部内壁面に沿う内挿面」に相当し、内挿面８１１ｅ，８１１ｆは「管路の内壁面に沿う内挿面」に相当し、第２内挿面８１５，８１５ｇは「セパレータの端部壁面に接地する接地面」に相当し、第２衝止面８２５は「仕切部の端面に当接する当接面」に相当し、衝止面８２２ｅ，８２２ｆは「支持部の端面に当接する当接面」に相当し、外挿部８３０，８３０ｄは「管路の上部外壁面に沿う外挿面を有する外挿部」に相当し、第１外挿面８３１は「管路の上部外壁面に沿う外挿面」に相当し、第２外挿面８３５は「セパレータの端部壁面に接地する接地面」に相当し、管路内浄化システム９００，９００ａ，９００ｂ，９００ｃ，９００ｄ，９００ｅ，９００ｆ，９００ｇは「管路内浄化システム」に相当し、管路９１０は「管路」に相当する。
【０１１０】
本発明の好ましい実施形態は上記の通りであるが、本発明はそれらのみに限定されるものではなく、本発明の趣旨から逸脱することのない様々な実施形態が他になされる。
【符号の説明】
【０１１１】
１００，１００ａ，１００ｂ，１００ｃ，１００ｄ，１００ｅ，１００ｆ，１００ｇ  管路内浄化装置
２００，２００ｇ  セパレータ
２１０  支持部
２５０，２５０ｇ  仕切部
２５４  孔
４００  担体
５００  セパレータ規制部材
５１０Ｌ，５１０Ｒ  セパレータ規制部
５２０Ｌ，５２０Ｒ  管路接触部
８００，８００ａ，８００ｂ，８００ｃ，８００ｄ，８００ｅ，８００ｆ，８００ｇ  ストッパ
８１０，８１０ｃ，８１０ｇ  内挿部
８１１  第１内挿面（内挿面）
８１１ｅ，８１１ｆ  内挿面
８１５，８１５ｇ  第２内挿面（接地面）
８２５  第２衝止面（当接面）
８２２ｅ，８２２ｆ  衝止面（当接面）
８３０，８３０ｄ  外挿部
８３１  第１外挿面（外挿面）
８３５  第２外挿面（接地面）
９００，９００ａ，９００ｂ，９００ｃ，９００ｄ，９００ｅ，９００ｆ，９００ｇ  管路内浄化システム
９１０  管路
【図１】
2016098606.tif 000003
【図２】
2016098606.tif 000004
【図３】
2016098606.tif 000005
【図４】
2016098606.tif 000006
【図５】
2016098606.tif 000007
【図６】
2016098606.tif 000008
【図７】
2016098606.tif 000009
【図８】
2016098606.tif 000010
【図９】
2016098606.tif 000011
【図１０】
2016098606.tif 000012
【図１１】
2016098606.tif 000013
【図１２】
2016098606.tif 000014
【図１３】
2016098606.tif 000015
【図１４】
2016098606.tif 000016
【図１５】
2016098606.tif 000017
【図１６】
2016098606.tif 000018
【図１７】
2016098606.tif 000019